(57)【要約】【課題】脱衣所の温度調整に際して省エネルギ化を実現する。【解決手段】建物１０には、浴室１５、脱衣所１６、キッチン１７、ユーティリティルーム１８が設けられており、ユーティリティルーム１８は脱衣所１６とキッチン１７との間に配置されている。ユーティリティルーム１８は、物干しスペースと下方スペースとを有しており、下方スペースには乾燥機が設置されている。脱衣所１６と下方スペースとを仕切る仕切壁２１には放熱孔５１が形成されており、放熱孔５１は乾燥機における背面側の放熱部と対向している。前記仕切壁２１には、放熱孔５１を閉鎖する放熱孔開閉体が設けられており、放熱孔開閉体が開放されることで乾燥機４２の排熱が放熱孔５１を介して脱衣所１６へ導入される。【選択図】図１
2010085016.tif 000002
【特許請求の範囲】
【請求項１】
脱衣所とその脱衣所に隣接して配置されたユーティリティルームとを備えている建物であって、
冷気又は暖気を発生する発生装置が前記ユーティリティルームに設置されているとともに、前記発生装置により発生した冷気又は暖気を前記脱衣所に導く通気路が設けられていることを特徴とする建物。
【請求項２】
前記脱衣所の温度を検出する温度検出手段と、
前記発生装置から暖気が発生していることを検出する暖気発生検出手段と
を備え、
前記温度検出手段により検出された前記脱衣所の温度が所定温度以下であり且つ前記暖気発生検出手段により暖気発生が検出された場合に、前記暖気が前記通気路を通じて前記脱衣所に導入される構成としたことを特徴とする請求項１に記載の建物。
【請求項３】
前記脱衣所に人が入ったことを検出する人検出手段を備え、
前記人検出手段により前記脱衣所に人が入ったことが検出された場合に前記脱衣所への前記冷気又は暖気の導入が開始される構成としたことを特徴とする請求項１又は２に記載の建物。
【請求項４】
浴室設備により入浴準備が開始されたことを検出する準備検出手段を備え、
前記準備検出手段により入浴準備の開始が検出された場合に前記脱衣所への前記冷気又は暖気の導入が開始される構成としたことを特徴とする請求項１乃至３のいずれか１項に記載の建物。
【請求項５】
前記脱衣所の壁に形成された所定の開口部を開閉する扉体と、
前記扉体を開閉させる扉体駆動部と、
前記脱衣所に人がいる場合に前記扉体を閉鎖動作させるように前記扉体駆動部を制御する制御手段と
を備えていることを特徴とする請求項１乃至４のいずれか１項に記載の建物。
【請求項６】
前記脱衣所に隣接して浴室が配置されているとともに、前記浴室にて発生した冷気又は暖気を前記ユーティリティルームへ導入可能に構成されていることを特徴とする請求項１乃至５のいずれか１項に記載のユーティリティルーム付き建物。
【請求項７】
前記脱衣所と前記ユーティリティルームとを仕切る壁には、前記脱衣所から前記ユーティリティルームへ衣類を排出する衣類排出口が設けられていることを特徴とする請求項１乃至６のいずれか１項に記載の建物。
【発明の詳細な説明】
【技術分野】
【０００１】
本発明は、脱衣所及びユーティリティルームを備えている建物に関するものである。
【背景技術】
【０００２】
住宅等の建物には、家事室としての機能を有するユーティリティルームが設けられていることがある。例えば特許文献１に、洗濯機が設置されているとともに、勝手口や脱衣室などと隣接して配置されているユーティリティルームについての構成が開示されている。この場合、住人等は、脱衣室で脱衣した衣類等をユーティリティルームへ運んで洗濯した後、洗濯物を勝手口から屋外側へ運んで乾燥させることができる。
【特許文献１】特開２０００−９６８４０号公報
【発明の開示】
【発明が解決しようとする課題】
【０００３】
しかしながら、上記特許文献１に開示された構成では、脱衣所の温度調整を行うことが困難となり、住人等が脱衣所を使用するに際して不都合であると考えられる。例えば、入浴者が脱衣所で衣類を脱ぐ場合、冬季であればヒートショックが生じるおそれがあるためである。これに対して、脱衣所にエアコン等の空調装置が設置されている構成であれば、脱衣所の温度調整を行うことが容易となる。ところが、この構成は省エネルギ化の観点から見て改善の余地がある。
【０００４】
本発明は、脱衣所の温度調整に際して省エネルギ化を実現することを主たる目的とする。
【課題を解決するための手段】
【０００５】
上記課題を解決するために、第１の発明は、脱衣所とその脱衣所に隣接して配置されたユーティリティルームとを備えている建物であって、冷気又は暖気を発生する発生装置が前記ユーティリティルームに設置されているとともに、前記発生装置により発生した冷気又は暖気を前記脱衣所に導く通気路が設けられていることを特徴とする。
【０００６】
第１の発明によれば、脱衣所の温度調整が行われるため、脱衣所が暑すぎたり寒すぎたりすることを回避できる。これは、脱衣所を利用する人にとって好適である。また、脱衣所の温度調整は、ユーティリティルームにおいて発生した冷気又は暖気を脱衣所に流れ込ませることで行われる。この場合、冷気又は暖気がユーティリティルームからの排気であれば、その排気を有効利用することになるため、脱衣所の温度調整に際して省エネルギ効果を得ることができる。つまり、脱衣所の温度調整に際して省エネルギ化を実現することができる。
【０００７】
なお、衣類を乾燥させる乾燥装置が発生装置としてユーティリティルームに設置された構成とすることが好ましい。この場合、乾燥装置の排熱を利用して脱衣所を暖めることができる。
【０００８】
第２の発明では、前記脱衣所の温度を検出する温度検出手段と、前記発生装置から暖気が発生していることを検出する暖気発生検出手段とを備え、前記温度検出手段により検出された前記脱衣所の温度が所定温度以下であり且つ前記暖気発生検出手段により暖気発生が検出された場合に、前記暖気が前記通気路を通じて前記脱衣所に導入される。
【０００９】
第２の発明によれば、脱衣所が住人等にとって寒い場合に脱衣所を暖めることができる。この場合、例えば冬季において人が脱衣所に入ったり脱衣所で衣類を脱いだりした際にヒートショックが発生することを抑制できるため、人の健康管理を行う観点から見て好適である。
【００１０】
なお、「前記暖気が前記通気路を通じて前記脱衣所に導入される構成」としては、通気路を開閉する開閉装置が設けられ、開閉装置により通気路が開放されることで暖気が脱衣所に流れ込む構成が挙げられる。この場合、必要な場合に限って脱衣所を暖めることができる。また、ユーティリティルームから脱衣所に風を送る送風装置が設けられ、送風装置が動作することで暖気が脱衣所に供給される構成も挙げられる。この場合、脱衣所を速やかに暖めることができる。
【００１１】
さらに、浴室から暖気が発生していることを検出する浴室用検出手段を備え、前記温度検出手段により検出された前記脱衣所の温度が所定温度以下であり且つ前記浴室用検出手段により暖気発生が検出された場合に前記暖気が前記浴室通気路を通じて前記脱衣所に導入される構成としてもよい。この場合でも、浴室の排熱を脱衣所に導入することにより、ヒートショックの発生を抑制できる。
【００１２】
第３の発明では、前記脱衣所に人が入ったことを検出する人検出手段を備え、前記人検出手段により前記脱衣所に人が入ったことが検出された場合に前記脱衣所への前記冷気又は暖気の導入が開始される。
【００１３】
第３の発明によれば、実際に人が脱衣所に入ってから冷気又は暖気が脱衣所に導入されるため、脱衣所が使用されていないにもかかわらず脱衣所の温度調整が行われてしまうことを回避できる。換言すれば、人が脱衣所を使用する場合には確実に脱衣所の温度調整を行うことができる。なお、人が脱衣所で衣類を脱ぐ場合、衣類を脱ぎ終わるまでにある程度の時間を要すると考えられるため、人が脱衣所に入ってから冷気又は暖気の導入が開始されても脱ぎ終わるまでに脱衣所を好適な温度に調整することが可能となる。
【００１４】
第４の発明では、浴室設備により入浴準備が開始されたことを検出する準備検出手段を備え、前記準備検出手段により入浴準備の開始が検出された場合に前記脱衣所への前記冷気又は暖気の導入が開始される。
【００１５】
第４の発明によれば、実際に人が入浴するより前に脱衣所の温度調整が開始される。この場合、人が脱衣所に入った時には脱衣所の温度調整を完了させておくことができる。したがって、入浴者は好適な温度に調整された脱衣所を使用することができる。なお、準備検出手段は、浴室設備として設置された浴槽に湯が貯め始められたことを検出したり、浴室設備として設置された加熱装置により浴槽内の湯水が加熱され始めたことを検出したりする構成であることが好ましい。
【００１６】
第５の発明では、前記脱衣所の壁に形成された所定の開口部を開閉する扉体と、前記扉体を開閉させる扉体駆動部と、前記脱衣所に人がいる場合に前記扉体を閉鎖動作させるように前記扉体駆動部を制御する制御手段とを備えていることを特徴とする請求項１乃至５のいずれか１項に記載の建物。
【００１７】
第５の発明によれば、人が脱衣所を使用している場合に、開口部を通じて脱衣所の内部が視認されることを回避できる。しかも、ユーティリティルームから脱衣所に導入された冷気又は暖気が開口部から流出してしまうことが回避されるため、脱衣所を好適な温度にて保持することが可能となる。なお、前記扉体により前記脱衣所の出入口が閉鎖される構成とすることが好ましい。この場合、入浴者の着替え中に他の住人等が脱衣所に入ってしまうことを回避できる。
【００１８】
第６の発明では、前記脱衣所に隣接して浴室が配置されているとともに、前記浴室にて発生した冷気又は暖気を前記ユーティリティルームに導く浴室通気路が設けられている。
【００１９】
第６の発明によれば、ユーティリティルームから冷気又は暖気が発生していなくても、浴室において発生した冷気又は暖気が脱衣所に流れ込むことで脱衣所の温度調整が行われる。この場合、脱衣所の温度調整を行うためだけにユーティリティルームにおいて暖気を発生させるといった必要がない。したがって、脱衣所の温度調整に際して省エネルギ効果をより一層高めることができる。なお、浴室において浴槽の湯張りが行われている場合にその湯から発生した熱が暖気として脱衣所に導かれる構成とすることが好ましい。この場合、その暖気により脱衣所を暖めることができる。
【００２０】
第７の発明では、前記脱衣所と前記ユーティリティルームとを仕切る壁には、前記脱衣所から前記ユーティリティルームへ衣類を排出する衣類排出口が設けられている。
【００２１】
第７の発明によれば、人は脱衣所で衣類を脱いだ後、その衣類を脱衣所に居ながらにしてユーティリティルームの衣類用カゴなどに入れることができる。また、この場合、例えば主婦は洗濯を行う際に衣類を脱衣所からユーティリティルームへ持ち運ぶ必要がないため、衣類を洗って干すまでの一連の作業をユーティリティルームだけで行うことが可能となる。つまり、家事を行う際に動線の合理化を図ることが可能となる。しかも、動線の合理化に伴って脱衣所の出入口用ドアの開閉も少なくなるため、脱衣所の温度変化を低減することができる。
【発明を実施するための最良の形態】
【００２２】
以下、本発明を具体化した一実施形態を図面に基づいて説明する。図１は、建物１０の間取りの一部を示す平面図、図２は、ユーティリティルーム１８の構成を示す斜視図、図３は、脱衣所１６とユーティリティルーム１８との境界部周辺の側面図である。図３において、（ａ）は図１のＡ−Ａ線部分断面を示し、（ｂ）は図１のＢ−Ｂ線部分断面を示す。
【００２３】
図１に示すように、住宅等の建物１０には、居住空間として浴室１５、脱衣所１６、キッチン１７、ユーティリティルーム１８、廊下１９が設けられており、それら居住空間は仕切壁２１により仕切られている。ユーティリティルーム１８は、いわゆる家事室となっており、脱衣所１６とキッチン１７との間に配置されている。キッチン１７とユーティリティルーム１８とを仕切る仕切壁２１にはキッチン側開口部２５が形成されており、ユーティリティルーム１８はキッチン側開口部２５を介してキッチン１７側に開放されている。
【００２４】
図２に示すように、ユーティリティルーム１８は、衣類を干す物干しスペース３１と、物干しスペース３１の下方に配置されている下方スペース３２とを有している。それら物干しスペース３１と下方スペース３２とは仕切板３３により上下に仕切られており、仕切板３３は水平方向に延びている。仕切板３３は、金属材料により形成されており、熱伝導率の高い伝熱板となっている。
【００２５】
物干しスペース３１には、洗濯物等の衣類を干すための物干し竿３５と、その物干し竿３５を支持する支持アーム３６が設けられている。支持アーム３６は、キッチン側開口部２５を挟んで対向する側方壁面のそれぞれに対して固定されており、物干し竿３５は奥方壁面に沿って延びるようにして支持されている。また、支持アーム３６は、物干し竿３５をユーティリティルーム１８に収納させる収納状態と、物干し竿３５をキッチン１７側に露出させる露出状態とに切り替え可能な構成となっている。
【００２６】
具体的には、図３に示すように、支持アーム３６は、一端が固定端として側方壁面に対して回動可能に軸支されており、その回動軸は側方壁面と直交している。また、自由端としての他端が物干し竿３５を支持しており、回動軸を中心に側方壁面に沿って回動することで収納状態から露出状態に移行する。この場合、支持アーム３６を収納状態とすることで、住人等の手が届かないような高い位置に衣類を収納することができる。つまり、高い位置の空間を衣類収納用のスペースとして有効に活用することができる。しかも、支持アーム３６を露出状態とすることで、住人等の手が届く位置で物干し作業を行うことができる。
【００２７】
また、物干しスペース３１には、換気扇３８が設けられており、その換気扇３８は排気ダクトを介して屋外に通じている。したがって、換気扇３８が駆動すると、物干しスペース３１内の空気が排気として屋外に排出される。
【００２８】
図２の説明に戻り、下方スペース３２には、衣類を洗う洗濯機４１と、乾燥運転を行うことで衣類を乾燥させる乾燥機４２と、衣類の収納が可能な衣類分別カゴ４３とが設けられている。洗濯機４１及び乾燥機４２は、その前面がキッチン１７側を向いて配置されており、住人等はキッチン１７側から使用することができる。また、洗濯機４１及び乾燥機４２は、衣類分別カゴ４３の側方に配置されており、乾燥機４２が洗濯機４１の上方に位置するように上下に並べられている。ここで、乾燥機４２は、仕切板３３の直下であり且つ脱衣所１６側の仕切壁２１に近接した位置にある。この場合、乾燥機４２は、その上面が仕切板３３の下面と対向しており、その背面が前記仕切壁２１の壁面と対向している。乾燥機４２の背面や上面には複数の放熱フィン等により形成された放熱部が設けられており、乾燥運転に伴って発生した熱が放熱部から排出される構成となっている。つまり、乾燥機４２は、暖気を発生する発生装置となっている。
【００２９】
衣類分別カゴ４３は、例えば下着用、色物用、毛用、厚物用等として複数設けられており、それらは上下に並べて配置されている。衣類分別カゴ４３は、箱形状に形成され、上方が開放されている。ちなみに、衣類分別カゴ４３は、キッチン１７側にスライド移動させることが可能な構成となっている。この場合、衣類分別カゴ４３がスライド移動されると、衣類分別カゴ４３への衣類の出し入れを上方から容易に行うことができる。
【００３０】
図３（ａ）に示すように、仕切壁２１のうち脱衣所１６と下方スペース３２とを仕切る部分には、乾燥機４２からの排熱を暖気として放出する通気路としての放熱孔５１が形成されている。放熱孔５１は、乾燥機４２の背面における放熱部と対向する位置に複数設けられている。また、放熱孔５１は、放熱孔開閉体５２により閉鎖されている。放熱孔開閉体５２は、仕切壁２１の脱衣所１６側に配置された板部であり、その仕切壁２１に沿って上下方向にスライド移動することが可能となっている。例えば、下方にスライド移動することで放熱孔５１を開放する。仕切壁２１には、駆動することで放熱孔開閉体５２をスライド移動させる放熱用駆動部５３が設けられている。なお、ここでは、全ての放熱孔５１が開放された場合に放熱孔開閉体５２が開放状態に移行し、全ての放熱孔５１が閉鎖された場合に放熱孔開閉体５２が閉鎖状態に移行したことになる。
【００３１】
また、図３（ｂ）に示すように、仕切壁２１のうち脱衣所１６とユーティリティルーム１８とを仕切る部分には、放熱孔５１の他に衣類排出口としての衣類投入口５５が形成されている。衣類投入口５５は、例えば下着用、色物用、毛用、厚物用等として放熱孔５１の側方に複数設けられており、それらは各衣類分別カゴ４３に対応して上下に並べて配置されている。各衣類投入口５５は、対応した衣類分別カゴ４３の脱衣所１６側における上方に配置されており、衣類分別カゴ４３の開放側に通じている。
【００３２】
前記仕切壁２１には衣類投入口５５を開閉する投入口開閉体５６が設けられている。投入口開閉体５６は、その上端が仕切壁２１に対して回動可能に軸支された板部であり、その回動軸は仕切壁２１と平行に且つ水平に延びている。この場合、投入口開閉体５６がユーティリティルーム１８側に回動することで衣類投入口５５が開放される。したがって、住人等は、脱衣所１６に居ながらにしてユーティリティルーム１８の衣類投入口５５に衣類を分別しつつ入れることができる。なお、投入口開閉体５６が脱衣所１６側に回動することで衣類投入口５５が開放されてもよい。
【００３３】
図１の説明に戻り、脱衣所１６は、ユーティリティルーム１８の他にも、浴室１５及び廊下１９と隣接している。仕切壁２１のうち浴室１５と脱衣所１６とを仕切る部分には、浴室通気路としての通気孔６１が形成されており、その通気孔６１には送風ファンなどの送風装置６２が設けられている。送風装置６２は、駆動した場合に浴室１５内の空気を脱衣所１６に送る。また、仕切壁２１のうち脱衣所１６と廊下１９とを仕切る部分には、所定の開口部としての脱衣所出入口６５が形成されており、脱衣所出入口６５は扉体としての脱衣所ドア６６により開閉される。さらに、仕切壁２１には、駆動することで脱衣所ドア６６をスライド移動させる扉体駆動部としてのドア駆動部６７が設けられている。
【００３４】
浴室１５には、浴槽７１が設置されており、浴槽７１には浴室設備としての給湯装置７２から湯水が供給される。また、浴室１５には、浴室１５内の温度調整を行う空調装置として浴室エアコン７３が設けられている。
【００３５】
ここで、建物１０においては脱衣所１６の温度調整を行う温調システムが構築されており、その温調システムに関する電気的な構成について、図４を参照しつつ説明する。
【００３６】
図４に示すように、脱衣所１６の温調システムは、ホームサーバ８１を含んで構成されている。ホームサーバ８１は、ＣＰＵや各種メモリ等からなるマイクロコンピュータを有しているとともに、操作ボタン等の入力手段やディスプレイ等の表示手段を備えている。ホームサーバ８１において、住人等は、入力手段を操作することで人監視システムの制御内容を設定することが可能となっている。なお、ホームサーバ８１は、例えばキッチン１７に設置されている。
【００３７】
ホームサーバ８１には、乾燥機４２、給湯装置７２、温度検出手段としての脱衣所温度センサ８５、人検出手段としての脱衣所人感センサ８６、湿度センサ８７が接続されている。乾燥機４２は、洗濯物の乾燥運転をしていることを暖気発生検出手段としての運転検出部により検出し、その検出信号をホームサーバ８１に対して出力する。給湯装置７２は、浴槽７１の湯張りを行っていることを湯張り検出部により検出し、その検出信号をホームサーバ８１に対して出力する。脱衣所温度センサ８５は脱衣所１６に設置されており、脱衣所１６の温度を検出し、その検出信号をホームサーバ８１に対して出力する。脱衣所人感センサ８６は脱衣所１６に設置されており、脱衣所１６に人が居ることを検出し、その検出信号をホームサーバ８１に対して出力する。湿度センサ８７は、物干しスペース３１に設置されており、物干しスペース３１内の湿度を検出し、その検出信号をホームサーバ８１に対して出力する。
【００３８】
また、ホームサーバ８１には、換気扇３８、放熱用駆動部５３、送風装置６２、ドア駆動部６７、浴室エアコン７３が接続されており、ホームサーバ８１は、指令信号を出力することでこれら換気扇３８、放熱用駆動部５３、送風装置６２、ドア駆動部６７、浴室エアコン７３の動作制御を行う。ホームサーバ８１は、これらに加えて給湯装置７２に対して指令信号を出力し、その給湯装置７２の動作制御を行う。特に、ホームサーバ８１は、放熱用駆動部５３の動作制御を行うことによりユーティリティルーム１８から脱衣所１６への暖気導入制御を行うことになる。また、送風装置６２の動作制御を行うことにより浴室１５から脱衣所１６への送風制御を行うことになる。
【００３９】
ここで、ホームサーバ８１によって実行される脱衣所１６の温度調整処理、及び物干しスペース３１の衣類乾燥処理について、図５及び図６のフローチャートを参照しつつ説明する。なお、各処理は、それぞれ所定の時間周期で実行される。
【００４０】
まず、脱衣所１６の温度調整処理について説明する。
【００４１】
図５において、ステップＳ１０１では、乾燥機４２、給湯装置７２、脱衣所温度センサ８５、脱衣所人感センサ８６から出力された各種検出信号を取得する。ステップＳ１０２では、脱衣所１６の実際の温度が目標温度より低いか否かを判定する。ここで、前記実際の温度は、脱衣所温度センサ８５の検出信号に基づいて算出した値である。また、目標温度は、住人等によりあらかじめ設定された所定の値であり、例えば２０℃に設定されている。脱衣所１６の実際の温度が目標温度より低い場合、ステップＳ１０３に進む。
【００４２】
ステップＳ１０３では、脱衣所人感センサ８６の検出信号に基づいて、脱衣所１６に人がいるか否かを判定する。脱衣所１６に人がいる場合、ステップＳ１０４に進み、住人等がこれから入浴するとしてドア駆動部６７の動作制御を行い、脱衣所ドア６６により脱衣所出入口６５を閉鎖させる。
【００４３】
ステップＳ１０５では、乾燥機４２の検出信号に基づいて、乾燥機４２が乾燥運転を行っているか否かを判定する。乾燥機４２が運転中である場合、ステップＳ１０６に進み、脱衣所１６に暖気を導入する暖気導入処理を行う。具体的には、放熱用駆動部５３の動作制御を行い、放熱孔開閉体５２を開放させる。この場合、運転中の乾燥機４２から発生した熱が放熱孔５１を介して脱衣所１６に放出される。つまり、ユーティリティルーム１８の下方スペース３２から脱衣所１６に暖気が導入される。この結果、乾燥機４２から発生する熱により脱衣所１６の暖房が行われ、脱衣所１６の温度が調整される。
【００４４】
なお、放熱孔５１は乾燥機４２の裏面側に存在するため、放熱孔開閉体５２が開放されてもユーティリティルーム１８側から脱衣所１６の内部は視認されない。
【００４５】
これに対して、乾燥機４２が運転中でない場合、ステップＳ１０７に進み、送風処理が実行中であるか否かを判定する。送風処理については後述するが、送風処理が実行中である場合は、脱衣所１６の暖房が行われているとしてそのまま本温度調整処理を終了し、送風処理が実行中でない場合は、ステップＳ１０８に進み、浴室エアコン７３の運転制御を行う。その運転制御としては、浴室エアコン７３に暖房運転を行わせ、浴室１５の温度を調整する。この場合、浴室１５内の暖気が通気孔６１や浴室扉の換気用ガラリ等を通じて脱衣所１６に流れ込み、浴室１５に加えて脱衣所１６の暖房が行われる。なお、この場合、浴室１５から脱衣所１６へ強制的に暖気を供給するために、送風装置６２の動作制御を行ってもよい。
【００４６】
脱衣所１６に人がいない場合（ステップＳ１０３がＮＯ判定の場合）、ステップＳ１０９に進み、給湯装置７２の検出信号に基づいて、浴室１５の浴槽７１において湯張り中であるか否かを判定する。ここで、給湯装置７２による湯張りは、住人等によりあらかじめ設定された時刻に開始される。また、湯張りが開始されたことは、給湯装置７２により入浴準備が開始されたことになる。湯張り中である場合、ステップＳ１１０に進み、住人等が入浴する準備が行われているとして、且つ浴槽７１に供給される湯や貯留された湯から熱気が発生しているとして、送風処理を行う。具体的には、送風装置６２の動作制御を行い、浴室１５から脱衣所１６へ空気を供給する。この場合、浴室１５においては、湯張りに伴って発生した熱気が暖気として脱衣所１６へ供給される。つまり、浴室１５から脱衣所１６に暖気が導入される。この結果、浴槽７１の湯張りに伴って発生する熱により脱衣所１６の暖房が行われ、脱衣所１６の温度が調整される。
【００４７】
また、脱衣所１６に人が存在せず且つ湯張り中でない場合（ステップＳ１０９がＮＯ判定の場合）は、脱衣所１６の暖房を行う必要がないとして、そのまま本処理を終了する。
【００４８】
脱衣所１６の実際の温度が目標温度以上である場合（ステップＳ１０２がＮＯ判定である場合）、ステップＳ１１１に進み、脱衣所１６の温度保持処理を行う。この場合、ステップＳ１０６の暖気導入処理により放熱孔開閉体５２を開放させていれば、放熱用駆動部５３の動作制御を行い、放熱孔開閉体５２を閉鎖させる。これにより、乾燥機４２の発生熱による脱衣所１６の温度調整が終了される。また、ステップＳ１０８の処理により浴室エアコン７３が運転していれば、浴室エアコン７３の運転を停止させる。これにより、浴室エアコン７３による浴室１５及び脱衣所１６の温度調整が終了される。さらに、ステップＳ１１０の送風処理により送風装置６２を駆動させていれば、送風装置６２の駆動を停止させる。これにより、浴槽７１の湯張りに伴った発生熱による脱衣所１６の温度調整が終了される。これらに対して、暖気導入処理、浴室エアコン７３の運転処理及び送風処理のいずれも行われていない場合は、脱衣所１６の温度調整を行う必要がないとして、そのまま本温度調整処理を終了する。
【００４９】
次に、物干しスペース３１の衣類乾燥処理について説明する。
【００５０】
図６において、ステップＳ２０１では、乾燥機４２、湿度センサ８７から出力された各種検出信号を取得する。ステップＳ２０２では、物干しスペース３１において衣類乾燥が必要であるか否かを判定する。具体的には、湿度センサ８７の検出信号に基づいて、物干しスペース３１の実際の湿度が所定湿度より高いか否かを判定する。前記実際の湿度が所定湿度より高い場合は、物干しスペース３１に洗濯された衣類が干されている、又は干されている衣類が濡れているとして、衣類乾燥が必要であると判定する。一方、実際の湿度が所定湿度以下である場合は、物干しスペース３１に洗濯された衣類が干されていない、又は物干しスペース３１に干されている衣類が乾燥しているとして、衣類乾燥が必要ないと判定する。衣類乾燥が必要ない場合はそのまま本衣類乾燥処理を終了し、衣類乾燥が必要である場合はステップＳ２０３に進む。
【００５１】
ステップＳ２０３では、乾燥機４２の検出信号に基づいて、乾燥機４２が乾燥運転中であるか否かを判定する。乾燥機４２が乾燥運転中でない場合は、ステップＳ２０４に進み、換気扇駆動処理を行う。具体的には、換気扇３８の動作制御を行い、湿度の高い空気を物干しスペース３１から屋外に排出する。これにより、物干しスペース３１に干されている衣類は乾燥しやすくなる。
【００５２】
一方、乾燥機４２が乾燥運転中である場合は、そのまま本衣類乾燥処理を終了する。この場合、乾燥機４２から発生した熱が仕切板３３を介して物干しスペース３１に導入されるため、その熱により衣類を乾燥させることが可能となる。したがって、この場合は換気扇３８を駆動させる必要がない。ここで、ユーティリティルーム１８において、物干しスペース３１と下方スペース３２とが仕切板３３により仕切られているため、乾燥機４２の発生熱が暖気として物干しスペース３１の一部に滞留することを抑制できる。つまり、仕切板３３から熱が伝えられることで物干しスペース３１の全体に熱を導入させることができる。
【００５３】
以上詳述した本実施形態によれば、以下の優れた効果が得られる。
【００５４】
住人等が脱衣所１６を使用する場合に脱衣所１６の暖房が行われるため、例えば冬季において、住人等にとって脱衣所１６が寒すぎることを回避できる。この場合、住人等が暖房されたリビング等の居室空間から脱衣所１６に移動した時や、入浴者が脱衣所１６で衣服を脱いだ時などにヒートショックが生じることを抑制できる。したがって、脱衣所１６の温度調整を行うことは、人の健康管理を行う観点から見て好適である。また、乾燥機４２の排熱が脱衣所１６に導入されるため、脱衣所１６の暖房を行うに際してユーティリティルーム１８における排熱を有効利用することになり、その結果、省エネルギ効果を得ることができる。
【００５５】
浴室１５において浴槽７１の湯張り中に発生した暖気が脱衣所１６に導入されるため、脱衣所１６の暖房を行うに際して浴室１５における排熱を有効利用することになり、その結果、省エネルギ効果をより一層高めることができる。また、この場合、乾燥機４２が乾燥運転していなくても脱衣所１６の暖房を行うことができる。換言すれば、脱衣所１６の暖房を行うためだけに乾燥機４２を運転させる必要はない。さらに、別の見方をすれば、乾燥機４２が運転中であれば浴室１５において湯張り中でなくても脱衣所１６の暖房を行うことができる。換言すれば、脱衣所１６の暖房を行うためだけに湯張りを行う必要はない。
【００５６】
乾燥機４２が運転されておらず且つ浴槽７１の湯張りも行われていない状況において、住人等が脱衣所１６を使用する場合には、浴室エアコン７３により浴室１５及び脱衣所１６の暖房が行われる。したがって、この場合でも住人等にヒートショックが生じることを抑制できる。また、浴室１５及び脱衣所１６の温度調整が常に浴室エアコン７３により行われる構成に比べて省エネルギ効果を得ることができる。
【００５７】
住人等が脱衣所１６を使用する場合に放熱孔開閉体５２が開放されたり送風装置６２が駆動されたりするため、乾燥機４２の排熱や浴槽７１の湯張りによる熱気による脱衣所１６の暖房を必要な時にだけ行うことができる。
【００５８】
住人等が脱衣所１６へ入った場合に脱衣所１６への暖気の導入が開始されるため、住人等が使用していないにもかかわらず脱衣所１６の暖房が行われることを回避できる。換言すれば、住人等が脱衣所１６を使用する場合に限って確実に脱衣所１６の暖房を行うことができる。また、入浴者が脱衣所１６を使用する場合には、その入浴者が衣類を脱ぎ終わるまでにある程度の時間を要すると考えられるため、入浴者が脱衣所１６に入ってから暖気の導入を開始しても、脱衣終了までに脱衣所１６を暖めることが可能となる。
【００５９】
浴室１５において浴槽７１の湯張りが開始された場合に脱衣所１６への暖気の導入が開始されるため、住人等が脱衣所１６に入った時には脱衣所１６の暖房を完了させておくことが可能となる。この結果、好適に暖房された脱衣所１６を住人等に使用させることができる。
【００６０】
住人等が脱衣所１６へ入った場合に脱衣所ドア６６が閉鎖されるため、入浴者の着替え中に他の住人等が脱衣所１６に入ってしまったり入浴者の着替えが他の住人等から見えてしまったりすることを回避できる。しかも、この場合、ユーティリティルーム１８側や浴室１５側から導入された暖気が脱衣所出入口６５から廊下１９等へ流れ出ることが規制されるため、脱衣所１６の温度低下を抑制したり脱衣所１６の暖房を効率良く行わせたりすることができる。
【００６１】
入浴者は脱衣所１６にて脱いだ衣類を衣類投入口５５からユーティリティルーム１８の衣類分別カゴ４３に投入することができる。この場合、例えば主婦は、洗濯を行う際に衣類を脱衣所１６からユーティリティルーム１８へ持ち運ぶ必要がないため、衣類を洗濯してから干すまでの一連の作業をユーティリティルーム１８だけで行うことができる。しかも、ユーティリティルーム１８はキッチン１７に隣接して配置されているため、料理や洗濯などの家事を行う際における動線の合理化を図ることができる。さらに、動線の合理化に伴って主婦が脱衣所１６へ出入する回数が減少するため、脱衣所ドア６６の開閉も減少する。この結果、脱衣所１６に導入された暖気が廊下１９等へ流れ出る頻度が少なくなり、脱衣所１６の温度調整を効率良く行うことができる。
【００６２】
ユーティリティルーム１８においては、換気扇３８を駆動させたり乾燥機４２の排熱を仕切板３３から伝えたりすることで物干しスペース３１を衣類を乾燥させる乾燥スペースとして使用することができる。
【００６３】
（他の実施形態）
本発明は上記実施形態の記載内容に限定されず、例えば次のように実施してもよい。
【００６４】
（１）ユーティリティルーム１８には冷気を発生する発生装置が設置されていてもよく、冷気及び暖気のいずれか一方を発生する発生装置が設置されていてもよい。例えば、発生装置としてエアコン等の空調装置が設置されている場合、放熱孔５１を介して脱衣所１６に冷気又は暖気を導入させることが可能となるため、脱衣所１６において暖房だけでなく冷房を行うことができる。この場合、脱衣所１６におけるヒートショックの発生を回避できるだけでなくコールドショックの発生も回避できる。これは、人の健康管理を行う観点から見てより一層好適である。なお、洗濯機４１が暖気発生装置としての役割を果たす構成としてもよい。
【００６５】
また、エアコン等の空調装置は、キッチン１７や脱衣所１６に設置されていてもよい。この場合、乾燥機４２が運転しておらず且つ浴槽７１の湯張りが行われていない場合に、浴室エアコン７３を暖房運転させなくても、ユーティリティルーム１８を介してキッチン１７から脱衣所１６へ暖気を供給したり、空調装置から脱衣所１６へ直接暖気を供給したりすることができる。
【００６６】
（２）放熱孔５１に送風装置６２が設けられていてもよい。この場合、乾燥機４２の排熱をユーティリティルーム１８から脱衣所１６へ強制的に送ることができるため、脱衣所１６の温度調整を速やかに行うことができる。また、放熱孔５１には放熱孔開閉体５２が設けられていなくてもよい。但し、この場合、乾燥機４２の排熱が常に脱衣所１６へ導入されるため、前記排熱が物干しスペース３１に伝わりにくくなり、物干しスペース３１における衣類乾燥の効率が低下する可能性がある。したがって、必要な場合に限って乾燥機４２の排熱が脱衣所１６へ導入される構成とすることが好ましい。
【００６７】
（３）通気路としての放熱孔５１は、仕切壁２１のうちユーティリティルーム１８の物干しスペース３１と脱衣所１６とを仕切る部分に設けられていてもよい。この場合でも、仕切板３３を介して物干しスペース３１に伝わった乾燥機４２の排熱が、物干しスペース３１から脱衣所１６へ導入される。要は、ユーティリティルーム１８において発生した暖気が脱衣所１６へ導入される構成であればよい。したがって、通気ダクトによりユーティリティルーム１８と脱衣所１６とが連通されている構成としてもよい。この場合は、通気ダクトにより通気路が形成されていることになる。
【００６８】
（４）ユーティリティルーム１８の仕切板３３は、その少なくとも一部が伝熱部となっていてもよい。この場合、仕切板３３の伝熱部の直下に乾燥機４２が配置されていることが好ましい。また、仕切板３３は通気性を有するようにメッシュ状や網目状に形成されていてもよい。いずれの場合でも、乾燥機４２の排熱を物干しスペース３１に好適に伝えることができる。さらに、ユーティリティルーム１８に仕切板３３は設けられていなくてもよい。つまり、ユーティリティルーム１８において、物干しスペース３１と下方スペース３２とが１つの空間として一体的に形成されていてもよい。
【００６９】
（５）浴槽７１の貯留水を加熱する加熱装置が浴室１５に設けられており、その加熱装置による前記貯留水の加熱開始が入浴準備の開始として検出される構成としてもよい。この場合、浴槽７１に水を貯留してからその貯留水を加熱するタイプの浴室設備を備える建物１０においても、入浴者が脱衣所１６へ入る前に脱衣所１６の温度調整を行っておくことが可能となる。
【００７０】
（６）通気孔６１に送風装置６２が設けられていなくてもよい。この場合でも、浴室１５において暖気が発生すればその暖気は通気孔６１を介して脱衣所１６に導入される。また、通気孔６１を開閉する開閉体が設けられていてもよい。この場合、必要な時に限って浴室１５から脱衣所１６へ暖気を供給することができる。また、通気ダクトにより脱衣所１６と浴室１５とが連通されている構成としてもよい。この場合は、通気ダクトにより浴室用通路が形成されていることになる。
【図面の簡単な説明】
【００７１】
【図１】本実施形態における建物の間取りの一部を示す平面図。
【図２】ユーティリティルームの構成を示す斜視図。
【図３】脱衣所とユーティリティルームとの境界部周辺の側面図。
【図４】温調システムに関する電気的な構成を示すブロック図。
【図５】脱衣所の温度調整処理を示すフローチャート。
【図６】物干しスペースの衣類乾燥処理を示すフローチャート。
【符号の説明】
【００７２】
１０…建物、１５…浴室、１６…脱衣所、１８…ユーティリティルーム、４２…発生装置としての乾燥機、５１…通気路としての放熱孔、５５…衣類排出口としての衣類投入口、６１…浴室通気路としての通気孔、６５…所定の開口部としての脱衣所出入口、６６…扉体としての脱衣所ドア、６７…扉体駆動部としてのドア駆動部、７２…準備検出手段を検出する給湯装置、８１…制御手段としてのホームサーバ、８５…温度検出手段としての脱衣所温度センサ、８６…人検出手段としての脱衣所人感センサ。
【図１】
2010085016.tif 000003
【図２】
2010085016.tif 000004
【図３】
2010085016.tif 000005
【図４】
2010085016.tif 000006
【図５】
2010085016.tif 000007
【図６】
2010085016.tif 000008